Podtech/llm-jp-corpus-v4-ja_patent huggingface dataset:
【手続補正書】
【提出日】平成23年9月5日(2011.9.5)
【手続補正１】
【補正対象書類名】特許請求の範囲
【補正対象項目名】全文
【補正方法】変更
【補正の内容】
【特許請求の範囲】
【請求項１】
透明原稿台に接して配置されている原稿を、上記透明原稿台を透して読み取り、画像データを得る読取手段と；
上記画像データの端部の黒領域を検出する黒領域検出手段と；
上記黒領域検出手段が検出した黒領域が、上記原稿の周辺による黒枠であるのか、上記原稿と上記透明原稿台とが離間した部分に生じた影であるのかを識別する識別手段であって、上記黒領域検出手段が検出した黒領域の輝度値がほぼ一定であれば、上記黒枠であると判定し、上記黒領域検出手段が検出した黒領域の輝度値がほぼ一定でなければ、上記影であると判定する識別手段と；
を有することを特徴とする画像処理装置。
【請求項２】
請求項１において、
上記読取手段が本スキャンによって得た画像データから上記黒枠を除去する除去手段と；
上記読取手段が本スキャンによって得た画像データの上記影を補正する補正手段と；
を有することを特徴とする画像処理装置。
【請求項３】
請求項１において、
上記識別手段は、上記画像データのうちで、上記黒領域検出手段が検出した黒領域以外の領域について、主走査方向、副走査方向のうちの一方の方向における輝度値がほぼ一定でなければ、上記黒領域検出手段が検出した黒領域が、上記黒枠であると判定し、主走査方向、副走査方向のうちの一方の方向における輝度値がほぼ一定であれば、上記黒領域検出手段が検出した黒領域が、上記影であると識別する手段であることを特徴とする画像処理装置。
【請求項４】
請求項１において、
上記識別手段は、上記画像データのうちで、上記黒領域検出手段が検出した黒領域以外の領域について、主走査方向、副走査方向のうちの一方の方向における輝度値がほぼ一定にならなければ、上記黒領域検出手段が検出した黒領域が、上記黒枠であると識別し、上記黒領域検出手段が２つの黒領域を検出すると、それぞれの黒領域の隣接する原稿の方向の幅の大きい方が上記影であり、小さい方が上記黒枠であると識別する手段であることを特徴とする画像処理装置。
【請求項５】
請求項１において、
上記識別手段は、上記黒領域検出手段が検出した２つの黒領域のうちの一方の黒領域の幅であって、隣接する原稿の方向の幅に基づいて、他方の黒領域が上記影または上記黒枠であると識別する手段であることを特徴とする画像処理装置。
【請求項６】
請求項１において、
上記識別手段は、上記黒領域検出手段が検出した黒領域について、エッジ検出を行い、検出されたエッジ画素数が所定量よりも多ければ、上記影であると識別し、所定量よりも少なければ、上記黒枠であると識別する手段であることを特徴とする画像処理装置。
【請求項７】
請求項６において、
上記識別手段は、上記エッジ検出で検出されたエッジ画素に基づいて、連続して隣接するエッジ画素数が大きいエッジ画素を除いて、残りのエッジ画素数が所定量よりも多ければ、上記影であると識別し、所定量よりも少なければ、上記黒枠であると識別することを特徴とする画像処理装置。
【請求項８】
請求項１において、
上記識別手段は、上記黒領域検出手段が検出した黒領域を、上記黒枠、または、上記影であると設定する設定手段を有することを特徴とする画像処理装置。
【請求項９】
請求項２において、
上記除去手段と上記補正手段の一方または両方での処理によって得た画像データを印刷する印刷手段を有することを特徴とする画像処理装置。
【請求項１０】
透明原稿台に配置されている原稿を読み取り、画像データを入力する入力工程と；
上記画像データの端部の黒領域を検出する黒領域検出工程と；
上記黒領域検出工程で検出した黒領域が、上記原稿の周辺の黒枠であるのか、上記原稿と上記透明原稿台との離間部に生じた影であるのかを識別する識別工程であって、上記黒領域検出工程で検出した黒領域の輝度値がほぼ一定であれば、上記黒枠であると判定し、上記黒領域検出工程で検出した黒領域の輝度値がほぼ一定でなければ、上記影であると判定する識別工程と；
を有することを特徴とする画像処理方法。
【請求項１１】
透明原稿台に配置されている原稿を読み取り、画像データを入力する入力工程と；
上記画像データの端部の黒領域を検出する黒領域検出工程と；
上記黒領域検出工程で検出した黒領域が、上記原稿の周辺の黒枠であるのか、上記原稿と上記透明原稿台との離間部に生じた影であるのかを識別する識別工程であって、上記黒領域検出工程で検出した黒領域の輝度値がほぼ一定であれば、上記黒枠であると判定し、上記黒領域検出工程で検出した黒領域の輝度値がほぼ一定でなければ、上記影であると判定する識別工程と；
をコンピュータに実行させるためのプログラム。
【手続補正２】
【補正対象書類名】明細書
【補正対象項目名】０００７
【補正方法】変更
【補正の内容】
【０００７】
本発明は、透明原稿台に接して配置されている原稿を、上記透明原稿台を透して読み取り、画像データを得る読取手段と、上記画像データの端部の黒領域を検出する黒領域検出手段と、上記黒領域検出手段が検出した黒領域が、上記原稿の周辺による黒枠であるのか、上記原稿と上記透明原稿台とが離間した部分に生じた影であるのかを識別する識別手段であって、上記黒領域検出手段が検出した黒領域の輝度値がほぼ一定であれば、上記黒枠であると判定し、上記黒領域検出手段が検出した黒領域の輝度値がほぼ一定でなければ、上記影であると判定する識別手段とを有することを特徴とする画像処理装置である。
【手続補正書】
【提出日】平成23年8月30日(2011.8.30)
【手続補正１】
【補正対象書類名】特許請求の範囲
【補正対象項目名】全文
【補正方法】変更
【補正の内容】
【特許請求の範囲】
【請求項１】
ウェーハ積層体の製造方法であって、
前記ウェーハ積層体が、
ａ）ウェーハと、
ｂ）該ウェーハを支持する支持層と、
ｃ）前記ウェーハと前記支持層とを接着する接着層と、
ｄ）前記ウェーハの側壁外周に形成された樹脂突出部と、を備え、
（１）前記ウェーハを上側に位置するウェーハ吸着台で吸着し、前記支持層を下側に位置する支持層吸着台で吸着し、前記ウェーハと前記支持層とを上下方向に対向させて配置する工程と、
（２）前記ウェーハに対する前記支持層の対向面に、前記接着層を形成するために液状の接着性樹脂を塗布する工程と、
（３）前記ウェーハ及び前記支持層の平行度を維持したまま両者を接近させ、前記接着性樹脂が介在している状態で加圧して、前記接着性樹脂を広げることで、前記ウェーハと前記支持層との間を前記接着性樹脂で塞ぎ、かつ、前記ウェーハの側壁外周に前記樹脂突出部を形成する工程と、
（４）前記ウェーハ積層体が所定の厚みに達した時点で、前記接着性樹脂に外部から紫外線を供給することにより前記接着性樹脂を硬化させ、前記接着層を形成する工程と、
を含むウェーハ積層体の製造方法。
【請求項２】
前記ウェーハ及び前記支持層との間を真空雰囲気とし、前記接着性樹脂が介在している状態で加圧して前記接着性樹脂を広げることで、前記ウェーハと前記支持層との間を前記接着性樹脂で塞ぎ、かつ、前記ウェーハの側壁外周に前記樹脂突出部を形成する、請求項１記載のウェーハ積層体の製造方法。
【請求項３】
前記ウェーハを前記ウェーハ吸着台で吸着する前に、前記接着層と略同質の接着性樹脂で、前記ウェーハの対向面を下地処理する、請求項１記載のウェーハ積層体の製造方法。
【請求項４】
前記支持層が、室温２３℃における曲げ弾性率が１０００ＭＰａ以上、１００００ＭＰａ以下で、厚みが３０〜２００μｍの樹脂層である、請求項１記載のウェーハ積層体の製造方法。
【請求項５】
前記接着層は、硬化前の液体状態における室温２３℃での粘度が１００cP以上、１００００cP未満であり、紫外線照射によって固化する接着性樹脂層である、請求項１記載のウェーハ積層体の製造方法。
【請求項６】
ウェーハを吸着するウェーハ吸着台、
該ウェーハ吸着台の下側で相対向して配置され、液状の接着性樹脂を介して前記ウェーハに貼着される支持層を真空吸着する支持層吸着台、及び
前記接着性樹脂を硬化するために、該接着性樹脂に紫外線を照射する紫外線照射源、を備える、ウェーハ積層体製造装置であって、
前記支持層吸着台は、前記紫外線を透過させ、かつ、前記支持層を吸着する凹凸形状を有する、ウェーハ積層体製造装置。
【請求項７】
ウェーハと、
該ウェーハを支持している支持層と、
前記ウェーハと前記支持層とを接着している接着層と、
前記ウェーハの側壁外周に形成された樹脂突出部と、
を有したウェーハ積層体。
【請求項８】
請求項７記載のウェーハ積層体を用意することと、
前記ウェーハを所望の厚さまで研削することと、
研削後に、前記ウェーハ積層体から前記支持層を前記接着層と共に剥離することと、を含む、ウェーハの製造方法。
【手続補正書】
【提出日】平成23年8月15日(2011.8.15)
【手続補正１】
【補正対象書類名】特許請求の範囲
【補正対象項目名】全文
【補正方法】変更
【補正の内容】
【特許請求の範囲】
【請求項１】
ＩＧＢＴを含む半導体装置であって、
（ａ）ｐ型を有する前記ＩＧＢＴのコレクタ層と、
（ｂ）前記コレクタ層上に形成された、ｎ型を有する前記ＩＧＢＴのバッファ層と、
（ｃ）前記バッファ層上に形成された、ｎ型を有する前記ＩＧＢＴのベース層と、
（ｄ）前記ベース層上に選択的に形成された複数の埋め込み絶縁膜と、
（ｅ）前記ベース層上にて、前記複数の埋め込み絶縁膜間に形成された、ｎ型を有する表面半導体層と、
（ｆ）前記表面半導体層内に形成された、ｐ型を有する前記ＩＧＢＴのチャネル形成層と、
（ｇ）前記表面半導体層内にて、前記チャネル形成層と接するように形成され、前記チャネル形成層より高濃度のｐ型を有する前記ＩＧＢＴのエミッタ層と、
（ｈ）前記表面半導体層内に形成された、ｎ型を有する前記ＩＧＢＴのソース層と、
（ｉ）前記表面半導体層の表面の一部および前記チャネル形成層の表面の一部に選択的に形成された、前記ＩＧＢＴのゲート絶縁膜と、
（ｊ）前記ゲート絶縁膜上に形成された、前記ＩＧＢＴのゲート電極と、
（ｋ）前記コレクタ層の裏面に形成され、前記コレクタ層と電気的に接続された、前記ＩＧＢＴのコレクタ電極と、
（ｌ）前記エミッタ層上および前記ソース層上に形成され、前記エミッタ層および前記ソース層と電気的に接続された、前記ＩＧＢＴのエミッタ電極と、
を有し、
前記チャネル形成層の厚さは、２０ｎｍ〜１００ｎｍであることを特徴とする半導体装置。
【請求項２】
請求項１記載の半導体装置において、
前記複数の埋め込み絶縁膜の各々は、膜厚の厚い厚膜部と前記厚膜部より膜厚の薄い薄膜部とを含み、
前記厚膜部の表面は、前記表面半導体層の表面と同一平面内にあり、
前記チャネル形成層および前記ソース層は、前記複数の埋め込み絶縁膜の前記薄膜部上に形成されていることを特徴とする半導体装置。
【請求項３】
請求項２記載の半導体装置において、
前記複数の埋め込み絶縁膜の各々における前記薄膜部には、離間部が形成され、
前記ベース層と前記表面半導体層は、前記薄膜部の前記離間部にて接していることを特徴とする半導体装置。
【請求項４】
請求項１記載の半導体装置において、
前記ベース層および前記表面半導体層は、単結晶シリコンから形成されていることを特徴とする半導体装置。
【請求項５】
請求項１記載の半導体装置において、
前記ＩＧＢＴのオン時における前記エミッタ電極に流れる電流の構成比は、ホール電流が２０％以下であり、電子電流が８０％以上であることを特徴とする半導体装置。
【請求項６】
請求項１記載の半導体装置において、
前記コレクタ層の厚さは、５μｍ以下であることを特徴とする半導体装置。
【請求項７】
ＩＧＢＴを含む半導体装置であって、
（ａ）ｐ型を有する前記ＩＧＢＴのコレクタ層と、
（ｂ）前記コレクタ層上に形成された、ｎ型を有する前記ＩＧＢＴのバッファ層と、
（ｃ）前記バッファ層上に形成された、ｎ型を有する前記ＩＧＢＴのベース層と、
（ｄ）前記ベース層中に選択的に形成された複数の埋め込み絶縁膜と、
（ｅ）前記複数の埋め込み絶縁膜上の前記ベース層内に形成された、ｐ型を有する前記ＩＧＢＴのチャネル形成層と、
（ｆ）前記複数の埋め込み絶縁膜上の前記ベース層内にて、前記チャネル形成層と接するように形成され、前記チャネル形成層より高濃度のｐ型を有する前記ＩＧＢＴのエミッタ層と、
（ｇ）前記複数の埋め込み絶縁膜上の前記ベース層内に形成された、ｎ型を有する前記ＩＧＢＴのソース層と、
（ｈ）前記複数の埋め込み絶縁膜上の前記ベース層の表面の一部および前記チャネル形成層の表面の一部に選択的に形成された、前記ＩＧＢＴのゲート絶縁膜と、
（ｉ）前記ゲート絶縁膜上に形成された、前記ＩＧＢＴのゲート電極と、
（ｊ）前記コレクタ層の裏面に形成され、前記コレクタ層と電気的に接続された、前記ＩＧＢＴのコレクタ電極と、
（ｋ）前記エミッタ層上および前記ソース層上に形成され、前記エミッタ層および前記ソース層と電気的に接続された、前記ＩＧＢＴのエミッタ電極と、
を有し、
前記チャネル形成層の厚さは、２０ｎｍ〜１００ｎｍであることを特徴とする半導体装置。
【請求項８】
請求項７記載の半導体装置において、
前記複数の埋め込み絶縁膜の各々は、膜厚の厚い厚膜部と前記厚膜部より膜厚の薄い薄膜部とを含み、
前記エミッタ層および前記ソース層と、前記ＩＧＢＴの前記エミッタ電極との接続部は、前記複数の埋め込み絶縁膜の前記厚膜部上に形成されていることを特徴とする半導体装置。
【請求項９】
請求項７記載の半導体装置において、
前記ベース層は、単結晶シリコンから形成されていることを特徴とする半導体装置。
【請求項１０】
請求項７記載の半導体装置において、
前記ＩＧＢＴのオン時における前記エミッタ電極に流れる電流の構成比は、ホール電流が２０％以下であり、電子電流が８０％以上であることを特徴とする半導体装置。
【請求項１１】
請求項１または請求項７記載の半導体装置において、
前記チャネル形成層の厚さは、２０ｎｍ〜４０ｎｍであることを特徴とする半導体装置。
【手続補正２】
【補正対象書類名】明細書
【補正対象項目名】発明の名称
【補正方法】変更
【補正の内容】
【発明の名称】半導体装置
【手続補正書】
【提出日】平成23年8月17日(2011.8.17)
【手続補正１】
【補正対象書類名】特許請求の範囲
【補正対象項目名】全文
【補正方法】変更
【補正の内容】
【特許請求の範囲】
【請求項１】
ゲート電極上のゲート絶縁層と、
前記ゲート絶縁層上のチャネル形成領域が形成される第１の酸化物半導体層と、
前記第１の酸化物半導体層上の一対のソース領域及びドレイン領域が形成される第２の酸化物半導体層と、
前記第２の酸化物半導体層のソース電極層及びドレイン電極層と、を有し、
前記第１の酸化物半導体層の前記ゲート絶縁層とは反対側の面であって前記ソース領域と前記ドレイン領域に挟まれた領域と、該領域に近接する前記第２の酸化物半導体層の側端部とは、酸素濃度の高い高抵抗領域であることを特徴とする半導体装置。
【請求項２】
請求項１において、
前記第１の酸化物半導体層は、前記第２の酸化物半導体層よりも酸素濃度が高いことを特徴とする半導体装置。
【請求項３】
請求項１において、
前記第１の酸化物半導体層は非晶質構造を有し、
前記第２の酸化物半導体層は非晶質構造の中に微結晶粒を含むことを特徴とする半導体装置。
【請求項４】
請求項１乃至３のいずれか一項において、
前記第１の酸化物半導体層及び前記第２の酸化物半導体層は、インジウム、ガリウム、及び亜鉛を含むことを特徴とする半導体装置。
【請求項５】
ゲート電極上にゲート絶縁層を形成し、
前記ゲート絶縁層上に第１の酸化物半導体層と第２の酸化物半導体層とを順次形成し、
前記第２の酸化物半導体層上に、一対のソース電極層及びドレイン電極層を形成し、
前記ソース電極層及びドレイン電極層をマスクとして、前記第２の酸化物半導体層及び前記第１の酸化物半導体層の一部をエッチングし、
前記エッチングにより露出した第２の酸化物半導体層及び前記第１の酸化物半導体層の表面を酸素プラズマ処理により高抵抗化することを特徴とする半導体装置の作製方法。
【請求項６】
請求項５において、
前記酸素プラズマ処理は、酸素ガス又は酸素ガスと希ガスの混合ガスによるグロー放電プ
ラズマで行うことを特徴とする半導体装置の作製方法。
【請求項７】
請求項５において、
前記ゲート絶縁層、前記第１の酸化物半導体層、前記第２の酸化物半導体層、前記ソース電極層及び前記ドレイン電極層をスパッタリング法で形成することを特徴とする半導体装置の作製方法。
【請求項８】
請求項５において、
前記ゲート絶縁層、前記第１の酸化物半導体層、前記第２の酸化物半導体層、前記ソース電極層及び前記ドレイン電極層の各層をスパッタリング法で大気に触れさせることなく連続して形成することを特徴とする半導体装置の作製方法。
【手続補正２】
【補正対象書類名】明細書
【補正対象項目名】発明の名称
【補正方法】変更
【補正の内容】
【発明の名称】半導体装置及び半導体装置の作製方法
【手続補正書】
【提出日】平成23年9月1日(2011.9.1)
【手続補正１】
【補正対象書類名】特許請求の範囲
【補正対象項目名】全文
【補正方法】変更
【補正の内容】
【特許請求の範囲】
【請求項１】
被照明面を照明する照明光学系であって、
光源からの光で複数の光源を形成する第１の反射型インテグレータと、
母線方向が揃った複数の円筒反射面を有し、前記第１の反射型インテグレータからの光で複数の線状光源を形成する第２の反射型インテグレータと、
前記複数の線状光源を挟むように、前記円筒反射面の母線方向に沿って対向して配置された一対の平面ミラーと、
前記被照明面に対して光学的にフーリエ変換の関係を有し、前記円筒反射面の母線方向に垂直な方向に前記第２の反射型インテグレータの射出側に配置され、開口形状が切り替え可能な開口絞りと、
前記開口絞りの前記開口形状の切り替えに応じて前記一対の平面ミラーの間隔を調整する調整手段と、
を有することを特徴とする照明光学系。
【請求項２】
被照明面を照明する照明光学系であって、
光源からの光で複数の光源を形成し、発散角が異なる複数の第１の反射型インテグレータと、
前記複数の第１の反射型インテグレータのうちの一つを光路に選択的に配置する第１選択部と、
母線方向が揃った複数の円筒反射面を有し、前記第１の反射型インテグレータからの光で複数の線状光源を形成する第２の反射型インテグレータと、
前記複数の線状光源を挟むように、前記円筒反射面の母線方向に沿って対向して配置された一対の平面ミラーと、
前記被照明面と光学的にフーリエ変換の関係を有する位置に配置されると共に、前記円筒反射面の母線方向に垂直な方向に前記第２の反射型インテグレータの射出側に配置され、開口パターンが異なる複数の開口絞りと、
前記複数の開口絞りのうちの一つを光路に選択的に配置する第２選択部と、
前記一対の平面ミラーの間隔を調整する調整手段と、
を有し、
前記第２選択部による選択に応じて前記第１選択部による選択と前記調整手段による調整の少なくとも一方を行うことを特徴とする照明光学系。
【請求項３】
前記開口絞りの前記開口形状の切り替えに応じて前記円筒反射面の母線方向に垂直な前記方向に前記第２の反射型インテグレータを移動する移動手段を更に有することを特徴とする請求項１に記載の照明光学系。
【請求項４】
前記複数の第１の反射型インテグレータの少なくとも一つは、互いに異なる偏向作用を有する複数の素子を有することを特徴とする請求項２に記載の照明光学系。
【請求項５】
光路に沿って前記第１の反射型インテグレータと前記第２の反射型インテグレータとの間に前記第１の反射型インテグレータからの発散光を集光する光学ユニットを更に有することを特徴とする請求項１〜４のうちいずれか一項に記載の照明光学系。
【請求項６】
前記開口絞りは、変形照明を形成する形状を有することを特徴とする請求項１〜５のうちいずれか一項に記載の照明光学系。
【請求項７】
原版を照明する請求項１〜６のうちいずれか一項に記載の照明光学系と、
原版のパターンを基板に投影する投影光学系と、
を有することを特徴とする露光装置。
【請求項８】
請求項７に記載された露光装置を用いて基板を露光するステップと、
露光された基板を現像するステップと、
を有することを特徴とするデバイスの製造方法。
【手続補正書】
【提出日】平成23年9月2日(2011.9.2)
【手続補正１】
【補正対象書類名】特許請求の範囲
【補正対象項目名】全文
【補正方法】変更
【補正の内容】
【特許請求の範囲】
【請求項１】
熱硬化後の、波長３５０ｎｍ〜８００ｎｍにおける光反射率が７０％以上であり、外側面において樹脂部とリードとが略同一面に形成されている樹脂パッケージを有する発光装置の製造方法であって、
切り欠き部を設けたリードフレームを上金型と下金型とで挟み込む工程と、
前記上金型と下金型とで挟み込まれた金型内に、光反射性物質が含有される熱硬化性樹脂をトランスファ・モールドして、前記切り欠き部に前記熱硬化性樹脂を充填させて、前記リードフレームに樹脂成形体を形成する工程と、
前記切り欠き部に沿って前記樹脂成形体と前記リードフレームとを切断する工程と、
を有する発光装置の製造方法。
【請求項２】
前記上金型と下金型とで挟み込む前に、前記リードフレームにメッキ処理を施す請求項１に記載の発光装置の製造方法。
【請求項３】
前記リードフレームは、切断部分における前記切り欠き部が全包囲周の約１／２以上である請求項１又は２のいずれかに記載の発光装置の製造方法。
【請求項４】
前記リードフレームは、少なくとも１つ以上の孔を有し、
前記切断する工程において、前記孔を通って前記リードフレームを切断する請求項１乃至３のいずれか一項に記載の発光装置の製造方法。
【請求項５】
前記リードフレームは、少なくとも１つ以上の溝を有し、
前記切断する工程において、前記溝を通って前記リードフレームを切断する請求項１乃
至４のいずれか一項に記載の発光装置の製造方法。
【請求項６】
前記上金型と下金型とは、発光素子が載置される部分、若しくは、前記孔部の近傍の部分のリードフレームを挟み込んでいる請求項１乃至５のいずれか一項に記載の発光装置の製造方法。
【請求項７】
熱硬化後の、波長３５０ｎｍ〜８００ｎｍにおける光反射率が７０％以上であり、外側面において樹脂部とリードとが略同一面に形成されている樹脂パッケージを有する発光装置であって、
前記リードは底面及び上面の少なくともいずれか一面にメッキ処理が施されており、かつ、前記外側面はメッキ処理が施されていない部分を有する発光装置。
【請求項８】
前記樹脂パッケージは、四隅からリードが露出されている請求項７に記載の発光装置。
【請求項９】
前記樹脂パッケージは、底面側から視認して四隅が弧状に形成されている請求項７又は８のいずれかに記載の発光装置。
【請求項１０】
前記リードは、前記外側面及び外底面より凹んだ段差が設けられている請求項７乃至９のいずれか一項に記載の発光装置。
【請求項１１】
熱硬化後の、波長３５０ｎｍ〜８００ｎｍにおける光反射率が７０％以上であり、外側面において樹脂部とリードとが略同一面に形成されている樹脂パッケージの製造方法であって、
切り欠き部を設けたリードフレームを上金型と下金型とで挟み込む工程と、
前記上金型と下金型とで挟み込まれた金型内に、光反射性物質が含有される熱硬化性樹脂をトランスファ・モールドして、前記切り欠き部に前記熱硬化性樹脂を充填させて、前記リードフレームに樹脂成形体を形成する工程と、
前記切り欠き部に沿って前記樹脂成形体と前記リードフレームとを切断する工程と、
を有する樹脂パッケージの製造方法。
【請求項１２】
前記上金型と下金型とで挟み込む前に、前記リードフレームにメッキ処理を施す請求項１１に記載の樹脂パッケージの製造方法。
【請求項１３】
熱硬化後の、波長３５０ｎｍ〜８００ｎｍにおける光反射率が７０％以上であり、外側面において樹脂部とリードとが略同一面に形成されている樹脂パッケージであって、
前記リードは底面及び上面の少なくともいずれか一面にメッキ処理が施されており、かつ、前記外側面はメッキ処理が施されていない樹脂パッケージ。
【請求項１４】
熱硬化後の、波長３５０ｎｍ〜８００ｎｍにおける光反射率が７０％以上であり、凹部が複数形成され、該凹部の内底面は、リードフレームの一部が露出されている、樹脂成形体の製造方法であって、
切り欠き部を設けたリードフレームを用い、前記樹脂成形体において隣り合う前記凹部が成形される位置に凸部を有する上金型と下金型とでリードフレームを挟み込む工程と、
前記上金型と下金型とで挟み込まれた金型内に、光反射性物質が含有される熱硬化性樹脂をトランスファ・モールドして、前記切り欠き部に前記熱硬化性樹脂を充填させ、かつ、前記リードフレームに前記樹脂成形体を形成する工程と、
を有する樹脂成形体の製造方法。
【請求項１５】
熱硬化後の、波長３５０ｎｍ〜８００ｎｍにおける光反射率が７０％以上であり、凹部が複数形成され、該凹部の内底面は、リードフレームの一部が露出されている、樹脂成形体であって、
前記リードフレームは切り欠き部を有しており、該切り欠き部に前記樹脂成形体となる熱硬化性樹脂が充填されており、隣り合う凹部の間に側壁を有している樹脂成形体。
【手続補正書】
【提出日】平成23年7月25日(2011.7.25)
【手続補正１】
【補正対象書類名】明細書
【補正対象項目名】００４８
【補正方法】変更
【補正の内容】
【００４８】
図９を参照に、実施例２のリレーは、タブ端子４６ｂと、タブ端子が設けられた第２の面の端との距離８０と、タブ端子５０ｂと、タブ端子が設けられた第２の面の端との距離８２と、が異なる。
【手続補正２】
【補正対象書類名】明細書
【補正対象項目名】００５６
【補正方法】変更
【補正の内容】
【００５６】
実施例２において、タブ端子４６ｂと、タブ端子が設けられた面の端との距離８０と、タブ端子５０ｂと、タブ端子が設けられた面の端との距離８２と、が異なる例を説明した。実施例３及び４において、タブ端子４６ｂと、タブ端子が設けられた面の端との距離と、タブ端子５０ｂと、タブ端子が設けられた面の端との距離と、を異ならせてもよい。
【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
記録媒体に対して映像音声情報を記録する記録手段と、
記録媒体に記録された映像音声情報を再生する再生手段と、
前記再生手段により再生された映像音声情報を表示手段に出力する出力手段と、
記録媒体に記録された映像音声情報に含まれるオブジェクトについての所定条件を指定する指示が入力されるオブジェクト条件入力手段と、
前記オブジェクト条件入力手段により入力された前記所定条件に基づいて、前記再生手段により、前記記録媒体に記録された映像音声情報から、当該所定条件を満たす映像音声情報を再生するよう制御する制御手段とを有し、
前記制御手段は、前記再生手段により前記記録媒体から映像音声情報を再生中において、前記出力手段により出力中の映像音声情報に含まれておらず、且つ前記記録媒体に記録された映像音声情報に含まれる非再生オブジェクトについての出現情報を、前記出力手段により前記表示手段に出力させ、
前記オブジェクト条件入力手段は、前記再生手段により前記記録媒体から映像音声情報を再生中に、前記非再生オブジェクトを含む所定条件を指定する指示を入力可能であることを特徴とする情報処理装置。
【請求項２】
記録媒体に対して情報を記録する記録手段と、
記録媒体に記録された情報を再生する再生手段と、
前記再生手段により再生された情報を表示手段に出力する出力手段と、
記録媒体に記録された情報に含まれるオブジェクトについての所定条件を指定する指示が入力されるオブジェクト条件入力手段と、
前記オブジェクト条件入力手段により入力された前記所定条件に基づいて、前記再生手段により、前記記録媒体に記録された情報から、当該所定条件を満たす情報を再生するよう制御する制御手段とを有し、
前記制御手段は、前記再生手段により前記記録媒体から情報を再生中において、前記出力手段により出力中の情報に含まれておらず、且つ前記記録媒体に記録された情報に含まれる非再生オブジェクトについての出現情報を、前記出力手段により前記表示手段に出力させ、
前記オブジェクト条件入力手段は、前記再生手段により前記記録媒体から情報を再生中に、前記非再生オブジェクトを含む所定条件を指定する指示を入力可能であることを特徴とする情報処理装置。
【請求項３】
請求項１または２に記載の情報処理装置であって、
前記制御手段は、前記再生手段により前記記録媒体から映像音声情報を再生中において、前記出現情報として前記非再生オブジェクトの出現時間情報を前記出力手段により前記表示手段に出力させることを特徴とする情報処理装置。
【請求項４】
請求項３に記載の情報処理装置であって、
前記制御手段は、前記再生手段により前記記録媒体から映像音声情報を再生中において、前記出力手段により出力中の映像音声情報に含まれる再生オブジェクト又は/及び前記非再生オブジェクトの出現時間情報を、時間軸上で各オブジェクトの出現する時間帯と、出現しない時間帯とをユーザが区別できるよう表示する時間軸表示を前記出力手段により前記表示手段に出力させることを特徴とする情報処理装置。
【請求項５】
請求項４に記載の情報処理装置であって、
前記制御手段は、前記再生手段により前記記録媒体から映像音声情報を再生中において、前記オブジェクト条件入力手段によりオブジェクトについての所定条件を指定する指示が入力された場合に、前記所定条件を満たす映像音声情報の出現時間情報として、時間軸上で前記所定条件を満たす映像音声情報の出現時間帯と、前記所定条件を満たさない映像音声情報の出現時間帯とをユーザが区別できるよう表示する時間軸表示を前記出力手段により前記表示手段に出力させることを特徴とする情報処理装置。
【請求項６】
請求項１または２に記載の情報処理装置であって、
前記制御手段は、前記再生手段により前記記録媒体から映像音声情報を再生中において、前記オブジェクト条件入力手段によりオブジェクトについての所定条件を指定する指示が入力された場合に、前記所定条件を満たす映像音声情報の合計時間を前記出力手段により前記表示手段に出力させることを特徴とする情報処理装置。
【請求項７】
請求項１または２に記載の情報処理装置であって、
前記オブジェクト条件入力手段により入力された所定条件に基づいて、前記再生手段により再生された映像音声情報の再生履歴を保持する保持手段を有し、
前記制御手段は、前記保持手段により保持された前記再生履歴に基づいて、前記再生手段により前記映像音声情報の再生するよう制御することを特徴とする情報処理装置。
【請求項８】
第１の記録媒体に対して、映像音声情報の再生又は記録を行なう第１の記録再生手段と、
第２の記録媒体に対して、映像音声情報の再生又は記録を行なう第２の記録再生手段と、
前記第１の記録再生手段により前記第１の記録媒体から映像音声情報を再生し、前記第２の記録再生手段により当該映像音声情報を第２の記録媒体へ記録するダビング動作を行なうダビング手段と、
前記ダビング手段による前記ダビング動作中において、前記第１の記録再生手段により再生された映像音声情報を表示手段に出力する出力手段と、
前記第１の記録媒体に記録された映像音声情報に含まれるオブジェクトについての所定条件を指定する指示が入力されるオブジェクト条件入力手段と、
前記オブジェクト条件入力手段により入力された前記所定条件に基づいて、前記第１の記録再生手段により前記第１の記録媒体から当該所定条件を満たす映像音声情報を再生し、前記第２の記録再生手段により当該映像音声情報を第２の記録媒体へ記録するよう前記ダビング手段を制御する制御手段とを有し、
前記制御手段は、前記ダビング手段による前記ダビング動作中において、前記出力手段により出力中の映像音声情報に含まれておらず、且つ前記記録媒体に記録された映像音声情報に含まれる非再生オブジェクトについての出現情報を、前記出力手段により前記表示手段に出力させ、
前記オブジェクト条件入力手段は、前記ダビング手段による前記ダビング動作中に、前記非再生オブジェクトを含む所定条件を指定する指示を入力可能であることを特徴とする情報処理装置。
【請求項９】
請求項８に記載の情報処理装置であって、
前記制御手段は、前記ダビング手段による前記ダビング動作中において、前記オブジェクト条件入力手段によりオブジェクトについての所定条件を指定する指示が入力された場合に、前記所定条件を満たす映像音声情報の合計時間を前記出力手段により前記表示手段に出力させることを特徴とする情報処理装置。
【請求項１０】
請求項８に記載の情報処理装置であって、
前記ダビング手段による前記ダビング動作において、前記オブジェクト条件入力手段により入力された所定条件に基づいて、前記第１の記録再生手段により前記第１の記録媒体から再生された映像音声情報の再生履歴を保持する保持手段を有し、
前記制御手段は、前記保持手段により保持された前記再生履歴に基づいて、前記第１の記録再生手段により前記第１の記録媒体から映像音声情報を再生し、前記第２の記録再生手段により当該映像音声情報を第２の記録媒体へ記録するよう前記ダビング手段を制御することを特徴とする情報処理装置。
【手続補正書】
【提出日】平成23年8月30日(2011.8.30)
【手続補正１】
【補正対象書類名】明細書
【補正対象項目名】００３４
【補正方法】変更
【補正の内容】
【００３４】
図２において、画素１１は、入射した光を電気信号に変換する画素の一つを示し、水平方向（Ｈ）、垂直方向（Ｖ）の画素の位置を示すアドレスを（１，１）と表示する。そして、すべての画素の構成は、垂直制御線および垂直信号線がそれぞれ対応する画素で異なることを除いて、画素１１と同一となっており、画素の位置を示すアドレスは、（Ｖ，Ｈ）で表される。
【手続補正書】
【提出日】平成23年8月9日(2011.8.9)
【手続補正１】
【補正対象書類名】特許請求の範囲
【補正対象項目名】全文
【補正方法】変更
【補正の内容】
【特許請求の範囲】
【請求項１】
撮像画素群及び焦点検出画素群を有する撮像素子と、
該撮像素子における前記焦点検出画素の周辺に存在する画素の像信号のばらつきを検出する検出手段と、
前記焦点検出画素群のゲインを調整する調整手段と、
前記焦点検出画素群の位置に相当する画像データを前記撮像画素群の像信号に基づいて補間補正する補間手段と、
前記検出手段により検出された前記像信号のばらつきに基づいて、前記ゲイン調整量及び前記補間補正量の割合を決定する決定手段と、を備えることを特徴とする撮像装置。
【請求項２】
前記決定手段は、前記検出手段により検出された前記像信号のばらつきが小さい場合には、前記補間補正量の割合を大きくし、前記ゲイン調整量の割合を小さくする、ことを特徴とする請求項１に記載の撮像装置。
【請求項３】
撮像画素群及び焦点検出画素群を有する撮像素子を備える撮像装置の制御方法であって、
前記撮像素子における前記焦点検出画素の周辺に存在する画素の像信号のばらつきを検出する検出ステップと、
前記焦点検出画素群のゲインを調整する調整ステップと、
前記焦点検出画素群の位置に相当する画像データを前記撮像画素群の像信号に基づいて補間補正する補間ステップと、
前記検出ステップで検出された前記像信号のばらつきに基づいて、前記ゲイン調整量及び前記補間補正量の割合を決定する決定ステップと、を備えることを特徴とする撮像装置の制御方法。
【請求項４】
撮像画素群及び焦点検出画素群を有する撮像素子を備える撮像装置を制御するプログラムであって、
前記撮像素子における前記焦点検出画素の周辺に存在する画素の像信号のばらつきを検出する検出ステップと、
前記焦点検出画素群のゲインを調整する調整ステップと、
前記焦点検出画素群の位置に相当する画像データを前記撮像画素群の像信号に基づいて補間補正する補間ステップと、
前記検出ステップで検出された前記像信号のばらつきに基づいて、前記ゲイン調整量及び前記補間補正量の割合を決定する決定ステップと、をコンピュータに実行させる、ことを特徴とするプログラム。
【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
変調処理に関する設定項目の変更に用いる入力手段を通信装置本体に備えたデジタル無線通信装置において、
前記通信装置本体を構成する複数の部分に対する動作電力の供給を個々に制御する電力管理手段を設け、
前記電力管理手段は、省電力モードのとき前記入力手段にだけ電力の供給を許すように構成されていることを特徴とするデジタル無線通信装置。
【請求項２】
変調処理に関する設定項目の変更に用いる入力手段と、設定制御手段を通信装置本体に備えたデジタル無線通信装置において、
前記通信装置本体を構成する複数の部分に対する動作電力の供給を個々に制御する電力管理手段を設け、
前記設定制御手段は、前記電力管理手段が省電力モードの場合でも設定入力処理を実行できることを特徴とするデジタル無線通信装置。
【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
画像データの撮影環境の白色情報を取得する取得手段と、
前記画像データの注目画素に対する局所白色の情報を前記注目画素の周辺画素の画像データを用いて算出する第一の算出手段と、
前記撮影環境の白色情報と前記局所白色の情報に基づき前記注目画素に対する順応白色を算出する第二の算出手段と、
前記順応白色を用いて、前記注目画素の画像データを補正する補正手段とを有することを特徴とする画像処理装置。
【請求項２】
前記第二の算出手段は、さらに、前記撮影環境の白色情報と前記局所白色の情報から前記注目画素に対する順応輝度を算出することを特徴とする請求項1に記載された画像処理装置。
【請求項３】
前記撮影環境の白色情報は、前記画像データの撮影時の光源に関する白色情報であることを特徴とする請求項1または請求項2に記載された画像処理装置。
【請求項４】
前記第一の算出手段は、前記画像データの撮影情報と順応視野角に基づき順応視野サイズを算出し、前記順応視野サイズに基づき前記注目画素および前記周辺画素の画像データをローパスフィルタ処理することで前記局所白色の情報を算出することを特徴とする請求項1から請求項3の何れか一項に記載された画像処理装置。
【請求項５】
前記第二の算出手段は、前記撮影環境の白色情報の輝度値と前記局所白色の情報の輝度値に基づき混合率を算出し、前記混合率を用いて前記撮影環境の白色情報と前記局所白色の情報から前記注目画素に対する順応白色を算出することを特徴とする請求項1から請求項4の何れか一項に記載された画像処理装置。
【請求項６】
前記第二の算出手段は、前記撮影環境の白色情報の輝度値と、前記局所白色の情報の輝度値の比または差分から前記混合率を算出することを特徴とする請求項5に記載された画像処理装置。
【請求項７】
画像データの撮影環境の白色情報を取得し、
前記画像データの注目画素に対する局所白色の情報を前記注目画素の周辺画素の画像データを用いて算出し、
前記撮影環境の白色情報と前記局所白色の情報に基づき前記注目画素に対する順応白色を算出し、
前記順応白色を用いて、前記注目画素の画像データを補正することを特徴とする画像処理方法。
【請求項８】
コンピュータを請求項1から請求項6の何れか一項に記載された画像処理装置の各手段として機能させるためのプログラム。
【手続補正２】
【補正対象書類名】明細書
【補正対象項目名】００１５
【補正方法】変更
【補正の内容】
【００１５】
本発明にかかる画像処理は、画像データの撮影環境の白色情報を取得し、前記画像データの注目画素に対する局所白色の情報を前記注目画素の周辺画素の画像データを用いて算出し、前記撮影環境の白色情報と前記局所白色の情報に基づき前記注目画素に対する順応白色を算出し、前記順応白色を用いて、前記注目画素の画像データを補正することを特徴とする。
【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
画像データの注目画素の白色情報を前記注目画素の周辺画素の画像データを用いて算出し、前記白色情報を用いて前記注目画素に順応処理を施す第一の処理手段と、
画像データに対する固定の白色情報を用いて順応処理を行う第二の処理手段と、
入力した画像データの領域を選択する選択手段と、
前記選択された領域に応じて、前記第一の処理手段と前記第二の処理手段を選択的に使用して、前記入力した画像データを色変換する色変換手段とを有することを特徴とする色処理装置。
【請求項２】
前記色変換手段は、前記選択された領域が顔画像領域である場合、前記第二の処理手段を使用することを特徴とする請求項1に記載された色処理装置。
【請求項３】
前記選択手段は前記入力した画像データが含む顔画像領域を検出し、前記色変換手段は前記顔画像領域に含まれる画素の画像データの前記色変換に前記第二の処理手段を使用することを特徴とする請求項1に記載された色処理装置。
【請求項４】
前記色変換手段は、前記選択された領域に所定面積以上の連続する平坦部が含まれる場合、前記色変換に前記第二の処理手段を使用することを特徴とする請求項1に記載された色処理装置。
【請求項５】
前記平坦部は、ユーザ指示により指定される領域であることを特徴とする請求項4に記載された色処理装置。
【請求項６】
前記選択手段は前記入力した画像データのエッジ画像を選択し、前記色変換手段は前記エッジ画像に含まれる画素の画像データの前記色変換に前記第一の処理手段を使用することを特徴とする請求項1に記載された色処理装置。
【請求項７】
画像データの注目画素の白色情報を前記注目画素の周辺画素の画像データを用いて算出し、前記白色情報を用いて前記注目画素に順応処理を施す第一の順応処理ステップと、
画像データに対する固定の白色情報を用いて順応処理を行う第二の順応処理ステップと、
入力した画像データの領域を選択する選択ステップと、
前記選択された領域に応じて、前記第一の処理ステップと前記第二の処理ステップを選択的に使用して、前記入力した画像データを色変換する処理ステップとを有することを特徴とする色処理方法。
【請求項８】
コンピュータを請求項1から請求項6の何れか一項に記載された色処理装置の各手段として機能させるためのプログラム。
【手続補正２】
【補正対象書類名】明細書
【補正対象項目名】００１１
【補正方法】変更
【補正の内容】
【００１１】
本発明にかかる画像処理装置は、画像データの注目画素の白色情報を前記注目画素の周辺画素の画像データを用いて算出し、前記白色情報を用いて前記注目画素に順応処理を施す第一の処理手段と、画像データに対する固定の白色情報を用いて順応処理を行う第二の処理手段と、入力した画像データの領域を選択する選択手段と、前記選択された領域に応じて、前記第一の処理手段と前記第二の処理手段を選択的に使用して、前記入力した画像データを色変換する色変換手段とを有することを特徴とする。
【手続補正３】
【補正対象書類名】明細書
【補正対象項目名】００１２
【補正方法】変更
【補正の内容】
【００１２】
本発明にかかる画像処理方法は、画像データの注目画素の白色情報を前記注目画素の周辺画素の画像データを用いて算出し、前記白色情報を用いて前記注目画素に順応処理を施す第一の順応処理ステップと、画像データに対する固定の白色情報を用いて順応処理を行う第二の順応処理ステップと、入力した画像データの領域を選択する選択ステップと、前記選択された領域に応じて、前記第一の処理ステップと前記第二の処理ステップを選択的に使用して、前記入力した画像データを色変換する処理ステップとを有することを特徴とする。
【手続補正４】
【補正対象書類名】明細書
【補正対象項目名】００３２
【補正方法】変更
【補正の内容】
【００３２】
図4はデバイス特性データのフォーマットを説明する図である。CAMパラメータは、次を含む。
白色点のXYZ値XwYwZw、
順応領域の絶対輝度La：図4の例では、順応領域における白色点の絶対輝度Lwの20%が指定されている、
背景領域の相対輝度Yb：図4の例では20%が指定されている、
周囲条件(Surround)：図4の例では、平均的(average)なパラメータ（周囲の影響c、色誘導ファクタNc、周囲条件に対応する順応度合のファクタF）が指定されている。
【手続補正５】
【補正対象書類名】明細書
【補正対象項目名】００４８
【補正方法】変更
【補正の内容】
【００４８】
図5は3×3画素のソーベルフィルタを示す図である。図5(a)は水平方向のエッジを、図5(b)は垂直方向のエッジを抽出するソーベルフィルタである。
【手続補正書】
【提出日】平成23年9月1日(2011.9.1)
【手続補正１】
【補正対象書類名】明細書
【補正対象項目名】００４８
【補正方法】変更
【補正の内容】
【００４８】
図３では、説明を簡単にするため、画素数は、水平方向および垂直方向にそれぞれ１２画素とする。１１は、入射した光を電気信号に変換する画素の１つを示し、水平方向（Ｈ）、垂直方向（Ｖ）の画素の位置を示すアドレスを（１、１）と表示する。そして、全ての画素の構成は、垂直制御線２０１〜２１２および垂直信号線１０１〜１１２がそれぞれ対応する画素毎に異なる以外、画素１１と同一であって、画素の位置を示すアドレスは、（Ｖ、Ｈ）で表される。
【手続補正書】
【提出日】平成23年8月31日(2011.8.31)
【手続補正１】
【補正対象書類名】特許請求の範囲
【補正対象項目名】全文
【補正方法】変更
【補正の内容】
【特許請求の範囲】
【請求項１】
規則的に配列された複数の光電変換部と、前記複数の光電変換部から規則的に選ばれた第１のグループにそれぞれ設けられた第１のカラーフィルタと、前記複数の光電変換部から規則的に選ばれた第２のグループにそれぞれ設けられるとともに前記第１のカラーフィルタよりも光透過面積の小さい第２のカラーフィルタとを有することを特徴とする撮像センサ。
【請求項２】
前記複数の光電変換部から規則的に選ばれた第３のグループにそれぞれ設けられるとともに前記第１のカラーフィルタよりも光透過面積の小さい第３のカラーフィルタを有するとともに、前記第１、第２および第３のカラーフィルタは、それぞれ、緑透過カラーフィルタ、赤透過カラーフィルタおよび青透過カラーフィルタであり、さらに、前記複数の光電変換部から規則的に選ばれた赤外光用の第４のグループにそれぞれ設けられた赤外光透過フィルタを有することを特徴とする請求項１記載の撮像センサ。
【請求項３】
規則的に配列された複数の光電変換部と、前記複数の光電変換部から規則的に選ばれた第１のグループにそれぞれ設けられた第１の可視光透過カラーフィルタと、前記複数の光電変換部から規則的に選ばれた第２のグループにそれぞれ設けられた赤外光透過フィルタと、前記第２のグループの光電変換部に対応する位置の可視光データを補間する際に前記第１のグループの光電変換部からの出力に前記第２の光電変換部のデータを加味する補間部とを有することを特徴とする撮像センサ。
【請求項４】
規則的に配列された複数の光電変換部と、前記複数の光電変換部から選ばれた第１のグループにそれぞれ設けられた緑透過カラーフィルタと、前記複数の光電変換部から選ばれた第２のグループにそれぞれ設けられた赤透過フィルタと、前記複数の光電変換部から選ばれた第３のグループにそれぞれ設けられた青透過フィルタと、前記複数の光電変換部から前記第２のグループよりも密度が小さくなるよう選ばれた第４のグループにそれぞれ設けられた赤外光透過フィルタとを有することを特徴とする撮像センサ。
【請求項５】
規則的に配列された複数の光電変換部と、前記複数の光電変換部から一部の方向に非対称性をもって規則的に選ばれた第１のグループにそれぞれ設けられた第１のカラーフィルタと、前記複数の光電変換部から全方向に対称性をもって規則的に選ばれた第２のグループにそれぞれ設けられる第２のカラーフィルタとを有することを特徴とする撮像センサ。
【請求項６】
前記複数の光電変換部から全方向に対称性をもって規則的に選ばれた第３のグループにそれぞれ設けられる第３のカラーフィルタを有するとともに、前記第１、第２および第３のカラーフィルタは、それぞれ、緑透過カラーフィルタ、赤透過カラーフィルタおよび青透過カラーフィルタであり、さらに、前記複数の光電変換部から選ばれた赤外光用の第４のグループにそれぞれ設けられた赤外光透過フィルタを有することを特徴とする請求項５記載の撮像センサ。
【請求項７】
規則的に配列された複数の光電変換部と、前記複数の光電変換部から選ばれた第１のグループにそれぞれ設けられた第１のカラーフィルタと、前記複数の光電変換部から選ばれた第２のグループにそれぞれ設けられた第２のカラーフィルタと、前記第２のグループの光電変換部に対応する位置の第１のカラーフィルタの色のデータを補間する際に前記第１のグループの光電変換部からの出力に重み付けをして補完を行う補間部とを有することを特徴とする撮像センサ。
【請求項８】
規則的に配列された複数の光電変換部と、前記複数の光電変換部から選ばれ２つの緑透過カラーフィルタ、1つの青透過フィルタおよび1つの赤透過フィルタからなる第１のフィルタ単位と、前記複数の光電変換部から選ばれ１つの緑透過カラーフィルタ、1つの青透過フィルタ、1つの赤透過フィルタおよび１つの赤外光透過フィルタからなる第２のフィルタ単位とを有することを特徴とする撮像センサ。
【手続補正書】
【提出日】平成23年9月1日(2011.9.1)
【手続補正１】
【補正対象書類名】特許請求の範囲
【補正対象項目名】全文
【補正方法】変更
【補正の内容】
【特許請求の範囲】
【請求項１】
映像、並びに該映像に同期したイベントの発生時刻情報及び該イベントの画角情報を含むイベント情報を受信する受信部と、前記映像を復号して再生する復号部と、表示対象とされる映像の画角を変更する画角変更部とを備えた映像再生装置であって、
前記イベントの発生時刻と前記復号部により復号された映像の再生時刻とを比較し、両方の時刻が一致した場合に、表示範囲に前記イベントの画角を含むように、表示対象とされる映像の画角を変更する指示を前記画角変更部に送る制御手段を具備することを特徴とする映像再生装置。
【請求項２】
前記制御手段は、前記イベントの発生時刻と前記映像の発生時刻が一致した場合に、前記イベントの発生時刻前に表示されていた映像の画角と前記イベントの画角とを含む画角、又は該イベントの画角へと変更する指示を前記画角変更部に送ることを特徴とする請求項１に記載の映像再生装置。
【請求項３】
前記制御手段は、前記イベントの発生時刻と前記映像の発生時刻が一致した場合に、前記イベントの発生時刻前に表示されていた映像の画角と、前記イベントの画角とで、各々の映像を画面上に表示する指示を前記画角変更部に送ることを特徴とする請求項１に記載の映像再生装置。
【請求項４】
絵又は文字もしくは記号の描画を行う描画部をさらに具備し、
前記制御手段は、前記イベントの発生時刻よりも前記映像の再生時刻が前である場合、前記イベントの発生による画角の変更が発生する旨を描画によって通知するように前記描画部に対して指示を送ることを特徴とする請求項１から３のいずれか１項に記載の映像再生装置。
【請求項５】
前記制御手段は、前記イベントの発生時刻と前記映像の再生時刻とを比較し、両方の時刻が一致した場合に、画角変更前に表示された映像の画角を記憶し、前記イベントの発生時刻よりも映像の再生時刻が後である場合に、記憶しておいた前記映像の画角へと戻すように前記画角変更部に指示を送ることを特徴とする請求項１から４のいずれか１項に記載の映像再生装置。
【請求項６】
映像、並びに該映像に同期したイベントの発生時刻情報及び該イベントの画角情報を含むイベント情報を受信する受信部と、前記映像を復号して再生する復号部と、表示対象とされる映像の画角を変更する画角変更部とを備えた映像再生装置にて実行される映像再生方法であって、
前記イベントの発生時刻と前記復号部により復号された映像の再生時刻とを比較する比較ステップと、
前記比較ステップにて前記イベントの発生時刻と前記映像の再生時刻とが一致した場合に、表示範囲に前記イベントの画角を含むように、表示対象とされる映像の画角を変更する制御を行う制御ステップを有することを特徴とする映像再生方法。
【手続補正２】
【補正対象書類名】明細書
【補正対象項目名】０００８
【補正方法】変更
【補正の内容】
【０００８】
本発明に係る映像再生装置は、映像、並びに該映像に同期したイベントの発生時刻情報及び該イベントの画角情報を含むイベント情報を受信する受信部と、前記映像を復号して再生する復号部と、表示対象とされる映像の画角を変更する画角変更部とを備えた映像再生装置であって、前記イベントの発生時刻と前記復号部により復号された映像の再生時刻とを比較し、両方の時刻が一致した場合に、表示範囲に前記イベントの画角を含むように、表示対象とされる映像の画角を変更する指示を前記画角変更部に送る制御手段を具備する。
【手続補正３】
【補正対象書類名】明細書
【補正対象項目名】０００９
【補正方法】変更
【補正の内容】
【０００９】
また、本発明に係る映像再生方法は、映像、並びに該映像に同期したイベントの発生時刻情報及び該イベントの画角情報を含むイベント情報を受信する受信部と、前記映像を復号して再生する復号部と、表示対象とされる映像の画角を変更する画角変更部とを備えた映像再生装置にて実行される映像再生方法であって、前記イベントの発生時刻と前記復号部により復号された映像の再生時刻とを比較する比較ステップと、前記比較ステップにて前記イベントの発生時刻と前記映像の再生時刻とが一致した場合に、表示範囲に前記イベントの画角を含むように、表示対象とされる映像の画角を変更する制御を行う制御ステップを有する。
【手続補正４】
【補正対象書類名】明細書
【補正対象項目名】００１０
【補正方法】変更
【補正の内容】
【００１０】
本発明によれば、全映像中にて表示画面の範囲外で発生するイベントの映像、例えば映像の内容に関わる重要なイベントの映像について、視聴者が見逃さないように該イベントの映像を表示することができる。
【手続補正５】
【補正対象書類名】明細書
【補正対象項目名】００１７
【補正方法】変更
【補正の内容】
【００１７】
次に図４を用いて、フレームNo.と入力映像、イベント映像の関係について説明する。軸４００はフレームNo.の時間的推移を表しており、起点０から時間が経過するにつれてフレームNo.の数字が増加する。なお、抽出した全体映像４０１乃至４０４は、フレームNo.0,No.1529,No.1530,No.1950にそれぞれ対応した映像を示している。フレームNo.1530では映像４０３に加えてイベント映像４０５もまた時間的に対応することを示している。